(57)【要約】      （修正有）【課題】クレジットカード・キャッシュカード等の出し入れを容易に行うことができ、かつ取り出したいカード類を容易に見つけることができる財布形収納具を提供する。【解決手段】前片部２と後片部３と上方開口部４を有して全体袋状に形成した収納部本体１と、上方開口部４を塞ぐスライドチャックまたは後片部３に連設して収納部本体の上方開口部を包覆しうる係止手段を有する蓋部のいずれか一方とを備える。収納部本体の前片部２と後片部３との間には、複数の布片が前後幅方向に重ねて配置され前片部、複数の布片、後片部の交互の縫い合わせによる縦方向の縫合部１０によって、平面から見て菱形あるいは三角形をなすセル状の開口部となるように、複数のポケット状のカード収納部７が区画形成されている。【選択図】図２
0003205124.tif 000002
【実用新案登録請求の範囲】
【請求項１】
前片部と後片部と上方開口部を有して全体袋状に形成された収納部本体と、前記上方開口部を塞ぐスライドチャックとを備えてなる財布形収納具であって、前記収納部本体の前片部と後片部との間には、複数の布片が前後幅方向に重ねて配置されかつこれら前片部、複数の布片、後片部の交互の縫い合わせによる縦方向の縫合部によって区画形成された複数のポケット状のカード収納部を備えてなることを特徴とする財布形収納具。
【請求項２】
前片部と後片部と上方開口部を有して全体袋状に形成された収納部本体と、前記後片部に連設され前記収納部本体の前記上方開口部を包覆しうる蓋部と、該蓋部を前記前片部の前面に閉止固定させる係止手段とを備えてなる二つ折りタイプの財布形収納具であって、前記収納部本体の前片部と後片部との間には、複数の布片が前後幅方向に重ねて配置されかつこれら前片部、複数の布片、後片部の交互の縫い合わせによる縦方向の縫合部によって区画形成された複数のポケット状のカード収納部を備えてなることを特徴とする財布形収納具。
【請求項３】
上方開口部を有して全体袋状に形成された小銭入れ部を内面に縫着した前片部と、該前片部に連設した後片部と、該後片部に連設した蓋部と、該蓋部を前記前片部の前面に閉止固定させる係止手段と、前記前片部、後片部、蓋部にかけての幅方向一端側に側方開放されたポケット状の紙幣・レシート入れ部とを設けてなる収納部本体を備えた二つ折りタイプの財布形収納具であって、前記収納部本体の小銭入れ部と後片部との間には、複数の布片が前後幅方向に重ねて配置されかつこれら小銭入れ部、複数の布片、後片部の交互の縫い合わせによる縦方向の縫合部によって区画形成された複数のポケット状のカード収納部と、前記複数のポケット状のカード収納部を閉じ状態で固定するよう前記後片部の内側中央上部に突設した舌片部先端の係止部を前記前片部側の小銭入れ部の上部中央の内面に形成した被係止部に係止固定させる係止手段とを備えてなることを特徴とする財布形収納具。
【請求項４】
係止手段によって閉鎖可能な前後一対の蓋片部および左右側面部を有するボックス型の小銭入れ部を外面に縫着した前片部と、該前片部に連設した後片部と、該後片部に連設した蓋部と、該蓋部を前方の蓋片部の前面に閉止固定させる係止手段とを有してなる収納部本体を備えた二つ折りタイプの財布形収納具であって、前記収納部本体の前片部と後片部との間には、複数の布片が前後幅方向に重ねて配置されかつこれら前片部、複数の布片、後片部の交互の縫い合わせによる縦方向の縫合部によって区画形成された複数のポケット状のカード収納部を備えてなることを特徴とする財布形収納具。
【請求項５】
前記後片部と後端部側にある前記布片との間または前記前片部と前端部側にある前記布片との間の少なくともいずれか一方に、上方開放されたポケット状の紙幣・レシート入れ部、ボックス型構造の小銭入れ部のうちの少なくとも１つが縫着されてなる請求項１または２記載の財布形収納具。
【請求項６】
前記複数の布片のうち略中間に位置する布片相互間に、上方開放されたポケット状の紙幣・レシート入れ部、ボックス型構造の小銭入れ部のうちの少なくとも１つが縫着されてなる請求項１または２記載の財布形収納具。
【考案の詳細な説明】
【技術分野】
【０００１】
この考案は、クレジットカードやポイントカード等の多数のカード類を見易くかつ整理し易く、また取り出し易く収納できる用にした複数のカード収納部を有する財布形収納具に関する。
【背景技術】
【０００２】
近年では、クレジットカードや免許証だけでなく、ポイントカードや会員カードなど多種類のカードがあり、持ち歩くカード類の数も多くなっている。そのため従来から、これらのカード類を纏めて収納できるものとした長財布・小銭入れ・カードケース等が数多存在する。
【０００３】
例えば、特許文献１に開示されているように、前片部と後片部と上方開口部を有して全体袋状に形成された収納部本体と、前記後片部に連設され前記収納部本体の前記上方開口部を包覆しうる蓋部とを備え、前記収納部本体には紙幣を折り畳まずに収納可能な紙幣収納部と、複数枚のカード類を重ねた状態で収納可能な第二のカード収納部と、小銭収納部とが夫々画成され、前記収納部本体または前記蓋部は、複数枚のカード類を１枚ずつ個別に収納しうる第一のカード収納部を備えてなる長財布が提案されている。
【先行技術文献】
【特許文献】
【０００４】
【特許文献１】実用新案登録第３２０１２３２号公報
【考案の概要】
【考案が解決しようとする課題】
【０００５】
しかしながら、特許文献１による長財布では、上記第二のカード収納部には複数枚のカード類が重ねられて嵩張った状態で収納されるものであるため、当該第二のカード収納部にカード類が収納されていると、収納されている多数のカード類の中から取り出したい所望のカードを見つけることは困難である。しかも上記第一のカード収納部は複数枚のカード類を１枚ずつ個別に収納されるよう当該カードの厚みに対応したスリット状の開口部となっているものであるため、上記カードの出し入れをスムーズに行うことはできない。
【０００６】
そこでこの考案は叙上のような従来存した諸事情に鑑み案出されたもので、その目的は上記カードの出し入れを容易に行うことができると同時に収納されている取り出したい所望のカードを容易に見つけることを可能にした複数のカード収納部を有する財布形収納具を提供することにある。
【課題を解決するための手段】
【０００７】
上述した課題を解決するため、この考案にあっては、前片部２と後片部３と上方開口部４を有して全体袋状に形成された収納部本体１と、前記上方開口部４を塞ぐスライドチャック１２とを備えてなる財布形収納具であって、前記収納部本体１の前片部２と後片部３との間には、複数の布片６が前後幅方向に重ねて配置されかつこれら前片部２、複数の布片６、後片部３の交互の縫い合わせによる縦方向の縫合部１０によって区画形成された複数のポケット状のカード収納部７を備えてなることを特徴とする。
前片部２と後片部３と上方開口部４を有して全体袋状に形成された収納部本体１と、前記後片部３に連設され前記収納部本体１の前記上方開口部４を包覆しうる蓋部５と、該蓋部５を前記前片部２の前面に閉止固定させる係止手段１１とを備えてなる二つ折りタイプの財布形収納具であって、前記収納部本体１の前片部２と後片部３との間には、複数の布片６が前後幅方向に重ねて配置されかつこれら前片部２、複数の布片６、後片部３の交互の縫い合わせによる縦方向の縫合部１０によって区画形成された複数のポケット状のカード収納部７を備えてなることを特徴とする。
上方開口部４を有して全体袋状に形成された小銭入れ部９を内面に縫着した前片部２と、該前片部２に連設した後片部３と、該後片部３に連設した蓋部５と、該蓋部５を前記前片部２の前面に閉止固定させる係止手段１１と、前記前片部２、後片部３、蓋部５にかけての幅方向一端側に側方開放されたポケット状の紙幣・レシート入れ部８とを設けてなる収納部本体１を備えた二つ折りタイプの財布形収納具であって、前記収納部本体１の小銭入れ部９と後片部３との間には、複数の布片６が前後幅方向に重ねて配置されかつこれら小銭入れ部９、複数の布片６、後片部３の交互の縫い合わせによる縦方向の縫合部１０によって区画形成された複数のポケット状のカード収納部７と、前記複数のポケット状のカード収納部７を閉じ状態で固定するよう前記後片部３の内側中央上部に突設した舌片部２０先端の係止部１９ａを前記前片部２側の小銭入れ部９の上部中央の内面に形成した被係止部１９ｂに係止固定させる係止手段１９とを備えてなることを特徴とする。
係止手段２５によって閉鎖可能な前後一対の蓋片部２３ａ，２３ｂおよび左右側面部２４，２４ｂを有するボックス型の小銭入れ部９を外面に縫着した前片部２と、該前片部２に連設した後片部３と、該後片部３に連設した蓋部５と、該蓋部５を前方の蓋片部２３ａの前面に閉止固定させる係止手段１１とを有してなる収納部本体１を備えた二つ折りタイプの財布形収納具であって、前記収納部本体１の前片部２と後片部３との間には、複数の布片６が前後幅方向に重ねて配置されかつこれら前片部２、複数の布片６、後片部３の交互の縫い合わせによる縦方向の縫合部１０によって区画形成された複数のポケット状のカード収納部７を備えてなることを特徴とする。
前記後片部３と後端部側にある前記布片６との間または前記前片部２と前端部側にある前記布片６との間の少なくともいずれか一方に、上方開放されたポケット状の紙幣・レシート入れ部８、ボックス型構造の小銭入れ部９のうちの少なくとも１つが縫着されてなるものとすることができる。
前記複数の布片６のうち略中間に位置する布片６相互間に、上方開放されたポケット状の紙幣・レシート入れ部８、ボックス型構造の小銭入れ部９のうちの少なくとも１つが縫着されてなるものとすることができる。
【０００８】
以上のように構成されたこの考案に係る財布形収納具にあって、前記カード収納部７は、スライドチャック１２の開放、または蓋部５の係止手段１１の解除により収納部本体１の上方開口部４を開いた際に、前記前片部２と後片部３とが幅方向に引張られて蛇腹状となって開放させられ、平面から見て菱形あるいは三角形をなすセル状の開口部を現出させる。
前片部２、後片部３、蓋部５にかけての幅方向一端側に側方開放されたポケット状の紙幣・レシート入れ部８を設けてなる収納部本体１を備えた二つ折りタイプの財布形収納具において、小銭入れ部９、複数の布片６、後片部３の交互の縫い合わせによる縦方向の縫合部１０によって区画形成された複数のポケット状のカード収納部７は、蓋部５の係止手段１１の解除とともに、前記後片部３の内側中央上部に突設した舌片部２０先端の係止部１９ａを前記前片部２側の小銭入れ部９の上部中央の内面に形成した被係止部１９ｂに係止固定させる係止手段１９を解除させることで、前記収納部本体１の前片部２と後片部３とが開いた際に、前記小銭入れ部９とともに前片部２と後片部３とが幅方向に引張られて蛇腹状となって開放させられ、菱形あるいは三角形をなすセル状の開口部を現出させる。
前記後片部３と後端部側にある前記布片６との間または前記前片部２と前端部側にある前記布片６との間の少なくともいずれか一方に縫着されたポケット状の紙幣・レシート入れ部８またはボックス型構造の小銭入れ部９は、収納部本体１の上方開口部４を開いた際に開放されると同時に、前記カード収納部７は、紙幣・レシート入れ部８または小銭入れ部９と、前記前片部２または後片部３とによって幅方向に引張られて蛇腹状となって開放させられ、菱形あるいは三角形をなすセル状の開口部を現出させる。
複数の布片６のうち略中間に位置する布片６相互間において縫着されたボックス型構造の小銭入れ部９は、収納部本体１の上方開口部４を開いた際に開放されると同時に、前記カード収納部７は、中間の小銭入れ部９を介して互いに外向き幅方向に引張られて蛇腹状となって開放させ、菱形あるいは三角形をなすセル状の開口部を現出させる。
【考案の効果】
【０００９】
この考案は以上説明したように構成されているため、複数のカード収納部７を有する財布形収納具において、カードＫの出し入れを容易に行うことができると同時に収納されている取り出したい所望のカードＫを容易に見つけることができる。
【００１０】
すなわち、これはこの考案が、収納部本体１の前片部２と後片部３との間には、複数の布片６が前後幅方向に重ねて配置されかつこれら前片部２、複数の布片６、後片部３の交互の縫い合わせによる縦方向の縫合部１０によって区画形成された複数のポケット状のカード収納部７を備えてなるからである。これにより、収納部本体１の上方開口部４をその厚さ方向に開くと、それまで潰れて閉じていた、クレジットカードやポイントカード等の各種のカードＫを入れる複数のカード収納部７の各開口部が、その幅方向に引張られて菱形あるいは三角形をなすセル状の開口部となるように蛇腹状となって開くので、上記カードＫの出し入れを容易に行うことができると同時に取り出したい所望のカードＫを容易に見つけることができる。
【００１１】
前記前片部２、後片部３、蓋部５にかけての幅方向一端側に側方開放されたポケット状の紙幣・レシート入れ部８を設けてなる収納部本体１を備えた二つ折りタイプの財布形収納具においては、複数のポケット状のカード収納部７を閉じ状態で固定するよう前記後片部３の内側中央上部に突設した舌片部２０先端の係止部１９ａを前記前片部２側の小銭入れ部９の上部中央の内面に形成した被係止部１９ｂに係止固定させる係止手段１９を備えているので、小銭入れ部９からコインＣを取り出すために前記蓋部５の係止手段１１が解除されていても、カード収納部７からのカードＫの不用意なる脱落を未然に防止することができる。
【００１２】
係止手段２５によって閉鎖可能な前後一対の蓋片部２３ａ，２３ｂおよび左右側面部２４，２４ｂを有するボックス型の小銭入れ部９を外面に縫着した前片部２と、該前片部２に連設した後片部３と、該後片部３に連設した蓋部５と、該蓋部５を前方の蓋片部２３ａの前面に閉止固定させる係止手段１１とを有してなる収納部本体１を備えた二つ折りタイプの財布形収納具であって、前記収納部本体１の前片部２と後片部３との間には、複数の布片６が前後幅方向に重ねて配置されかつこれら前片部２、複数の布片６、後片部３の交互の縫い合わせによる縦方向の縫合部１０によって区画形成された複数のポケット状のカード収納部７を備えてなるので、カードＫの出し入れを容易に行うことができるコンパクトな小銭入れタイプの財布形収納具を容易に製作することができる。
【００１３】
前記後片部３と後端部側にある前記布片６との間、前記前片部２と前端部側にある前記布片６との間、または複数の布片６のうち略中間に位置する布片６相互間のいずれかに、上方開放されたポケット状の紙幣・レシートＲ入れ部８、ボックス型構造の小銭入れ部９の少なくとも１つが縫着されてなるので、収納部本体１の上方開口部４を開いた際には前記カード収納部７は、紙幣・レシート入れ部８または小銭入れ部９と前記前片部２または後片部３とによって幅方向に引張られるかあるいは中間の小銭入れ部９を介して互いに外向き幅方向に引張られるかして蛇腹状となって開放し、菱形あるいは三角形をなすセル状の開口部を現出させることができる。このため、大量のカードＫが収納されていてもそれらの出し入れを容易に行うことができると同時に、取り出したい所望のカードＫを容易に見つけることができる長財布や小銭入れタイプの財布形収納具を容易に製作することができる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案の実施形態におけるラウンドファスナー長財布タイプの財布形収納具の一例を示すもので、（ａ）は正面図、（ｂ）は（ａ）のＸ−Ｘ断面図である。
【図２】同じく財布形収納具の収納部本体を開いた状態の斜視図である。
【図３】複数のカード収納部を形成するための原理的説明を示す概要図である。
【図４】同じくラウンドファスナー長財布タイプの財布形収納具の他例を示す収納部本体を開いた状態の斜視図である。
【図５】Ｌ形ファスナー長財布タイプで例えば４０枚カード収納タイプの財布形収納具の収納部本体を開いた状態の斜視図である。
【図６】大容量型収納タイプの財布形収納具の収納部本体を開いた状態の斜視図である。
【図７】被せ蓋長財布タイプの財布形収納具の蓋部を開けて収納部本体を開いた状態の斜視図である。
【図８】被せ蓋二つ折り小銭入れ長財布タイプの財布形収納具の他例を示すもので、蓋部を開けて収納部本体を開いた状態の斜視図である。
【図９】ラウンドファスナー中ボックス小銭入れ型長財布タイプの財布形収納具の一例を示す収納部本体を開いた状態の斜視図である。
【図１０】大マチ小銭入れ被せ蓋長財布タイプの財布形収納具を示す収納部本体を開いた状態の斜視図である。
【図１１】コンパクトラウンドファスナー長財布タイプで、小銭入れの両サイドにカード収納部を有する財布形収納具の収納部本体を開いた状態の斜視図である。
【図１２】ボックス小銭入れ付被せ蓋二つ折り財布タイプの財布形収納具の収納部本体を開いた状態の斜視図である。
【図１３】Ｌ字形ファスナー大容量カードケースタイプの財布形収納具の一例を示すもので、収納部本体を開いた状態の斜視図である。
【図１４】被せ蓋付大容量カードケータイプによる財布形収納具における蓋部および収納部本体を開いた状態の斜視図である。
【考案を実施するための形態】
【００１６】
以下、図面を参照してこの考案を実施するための一形態を説明すると、図において示される符号１は、この考案の財布形収納具を構成する例えば長財布・小銭入れ・カードケース等の各種タイプの例えば皮革・布・合成樹脂等のシート状素材によって形成された収納部本体であり、この収納部本体１は、前片部２と後片部３と上方開口部４を有して全体が略扁平矩形袋状に形成されている。また、収納部本体１には、前記上方開口部４を塞ぐ雄雌チャック１２ａ，１２ｂによるスライドチャック１２（後述する図１、図２、図４、図５、図６、図９、図１１、図１３参照）、または前記後片部３に連設されて収納部本体１の前記上方開口部４を包覆しうる係止手段１１を備えた蓋部５（後述する図７、図８、図１０、図１２、図１４参照）のいずれか一方を備えている。
【００１７】
前記収納部本体１の前片部２と後片部３との間には、例えばクレジットカード、キャッシュカードやポイントカード等の各種のカードＫを収納するための上方開口の矩形ポケット状となった複数のカード収納部７を備えており、当該収納部本体１をその厚さ方向に略Ｖ字状に開くと、それまで潰れて閉じていた複数のカード収納部７の各上部開口側が、その幅方向に引張られて平面から見て菱形あるいは三角形をなすセル状の開口部となるように蛇腹状となって開くものとしてある。
【００１８】
以下に財布形収納具として長財布・小銭入れ・カードケースによる形態の順にこれら具体的な構成について詳細に説明する。
【００１９】
＜ラウンドファスナー長財布タイプの一例＞
図１および図２に示すように、この考案の財布形収納具を構成するよう、主として例えば女性一般を対象（もとより対象は女性に限定されない）としたラウンドファスナー長財布タイプの一例となる収納部本体１の前片部２と後片部３とが連設する底部１８側から略矩形面状の複数の布片６が立設され、当該前片部２と後片部３との間で前後幅方向に重ねて配置される。そして、これら前片部２、複数の布片６、後片部３を交互に縫い合わせた縦方向の縫合部１０によって、各種のカードＫを収納するための上方開口の矩形ポケット状となった複数のポケット状のカード収納部７が区画形成される。
【００２０】
すなわち、図３に示すように、横幅Ｌの前片部２と後片部３との間に例えば第１〜第４の合計４個の横幅Ｌの布片６が底部１８側から立設され、当該前片部２と後片部３との間で前後幅方向に重ねて配置されている。この場合において、後端部の布片６の両端部および左端からＬ／２の位置が後片部３の両端部および左端からＬ／２の位置に縫合部１０によって接続され、後端部の布片６の左端からＬ／４および３Ｌ／４の位置が次に隣接する第２の布片６の左端からＬ／４および３Ｌ／４の位置に縫合部１０によって接続され、第２の布片６のＬ／２の位置が更に次の第３の布変６のＬ／２の位置に縫合部１０によって接続され、第３の布変６の左端からＬ／４および３Ｌ／４の位置が次に隣接する第４の布片６の左端からＬ／４および３Ｌ／４の位置に縫合部１０によって接続され、第３の布片６のＬ／２の位置が前片部２のＬ／２の位置に縫合部１０によって接続される。こうして、前片部２と後片部３とが互いに外向き幅方向に引張られることで、前記縫合部１０を介して複数のカード収納部７が蛇腹状となって開放され、菱形あるいは三角形をなすセル状の開口部を現出させるものとしてある。
【００２１】
前記後片部３と後端部側にある前記第１の布片６との間には、紙幣・レシートＲを収納するための上方開放されたカード段付きポケット状の紙幣・レシート入れ部８と、複数のコインＣを収納するための例えば後述するＬ字型構造の小銭入れ部９とが互いに隣接するようにして縫着されている。なお、図示による例では、小銭入れ部９の前側壁面に、後端部の布片６の両端部および左端からＬ／２の位置（布片６の中間位置）が縫合部１０によって接続されている。
【００２２】
収納部本体１の開口部、すなわち前片部２および後片部３の左右上部を開閉させるスライドチャック１２が設けられており、該スライドチャック１２は、前片部２の上方開口部４に沿った縁部には前片部側雄（雌）チャック１２ａが付設され、後片部３の上方開口部４に沿った縁部には後片部側雌（雄）チャック１２ｂが付設され、さらに両チャック１２ａ，１２ｂに跨って、収納部本体側取っ手１４を有する収納部本体側スライダ１３が装着されている。収納部本体側取っ手１４を介して収納部本体側スライダ１３を正方向乃至逆方向に摺動させることで、両チャック１２ａ，１２ｂが結合乃離反され、これによって上方開口部４が閉塞乃至開放されるものとしてある。
【００２３】
上記小銭入れ部９は、Ｌ字状の開口部となっており、当該開口部の相対向する縁部には小銭入れ側雄（雌）チャック１５ａ、小銭入れ側雌（雄）チャック１５ｂがそれぞれ付設され、両チャック１５ａ，１５ｂに跨って、小銭入れ側取っ手１７を有する小銭入れ側スライダ１６が装着されている。小銭入れ側取っ手１７を介して小銭入れ側スライダ１６をＬ字方向に沿って正方向乃至逆方向に摺動させることで、両チャック１５ａ，１５ｂが結合乃離反され、これによって小銭入れ部９のＬ字状の開口部が閉塞乃至開放されるものとしてある。
【００２４】
＜ラウンドファスナー長財布タイプの他例＞
図４には、この考案の財布形収納具を構成するよう、主として例えば男性一般を対象（もとより対象は男性に限定されない）としたラウンドファスナー長財布タイプの他例となる収納部本体１が示されている。このタイプでは、各上部開口側がその幅方向に引張られると、合計１１個のカード収納部７のうち、４個が三角形の開口部となり、残りの７個が菱形の開口部となる。
【００２５】
また、後片部３と後端部側にある第１の布片６との間には、紙幣・レシートＲを収納するための上方開放されたポケット状の紙幣・レシート入れ部８と、複数のコインＣを収納するためのストレート上部開口構造の小銭入れ部９とが互いに隣接するようにして縫着され、当該小銭入れ部９の相対向する開口縁部には小銭入れ側雄（雌）チャック１５ａ、小銭入れ側雌（雄）チャック１５ｂがそれぞれ付設され、両チャック１５ａ，１５ｂに跨って、小銭入れ側取っ手１７を有する小銭入れ側スライダ１６が装着されている。小銭入れ側取っ手１７を介して小銭入れ側スライダ１６を直線方向に沿って正方向乃至逆方向に摺動させることで、両チャック１５ａ，１５ｂが結合乃離反され、これによって小銭入れ部９のストレート状の上部開口側が閉塞乃至開放されるものとしてある。
【００２６】
なお、複数のポケット状のカード収納部７の布片６の縫合部１０による構成は、上記した女性一般を対象とした長財布タイプによるものと略同じなので、その詳細な説明を省略する。
【００２７】
＜Ｌ形ファスナー長財布タイプ＞
図５は、例えば４０枚のカードＫが収納可能とされるＬ形ファスナー長財布タイプの財布形収納具を構成する収納部本体１を示している。このタイプでは、各上部開口側がその幅方向に引張られると、合計１４個のカード収納部７のうち、４個が三角形の開口部となり、残りの１０個が菱形の開口部となる。また、後片部３に向けて、複数のコインＣを収納するためのストレート上部開口構造の小銭入れ部９と、紙幣・レシートＲを収納するための上方開放されたポケット状の紙幣・レシート入れ部８と、カードＫの複数枚を纏めて収納できる上部開放されたポケット状の纏めカード入れ部２１とが順次縫着されている。
【００２８】
また、収納部本体１は、前片部２および後片部３の左右上部が開放される縁部のうちＬ字状に沿った縁部のみに雄雌チャック１２ａ，１２ｂによるスライドチャック１２が付設され、両チャック１２ａ，１２ｂに跨って、収納部本体側取っ手１４を有する収納部本体側スライダ１３が装着されている。収納部本体側取っ手１４を介して収納部本体側スライダ１３をＬ字状に沿って正方向乃至逆方向に摺動させることで、両チャック１２ａ，１２ｂが結合乃離反され、これによって前片部２および後片部３の左右上部にわたる上方開口部４が閉塞乃至開放されるものとしてある。
【００２９】
なお、小銭入れ部９のストレート状の上部開口側の小銭入れ側雄（雌）チャック１５ａ、小銭入れ側雌（雄）チャック１５ｂがそれぞれによる閉塞乃至開放、複数のポケット状のカード収納部７の布片６の縫合部１０による構成は、上記した図４に示す男性一般を対象とした長財布タイプによるものと略同じなので、その詳細な説明を省略する。
【００３０】
＜大容量型収納タイプ＞
図６は、大容量型収納タイプの財布形収納具を構成する収納部本体１を示している。このタイプでは、各上部開口側がその幅方向に引張られると、合計１７個のカード収納部７のうち、４個が三角形の開口部となり、残りの１３個が菱形の開口部となる。
【００３１】
また、最後部のカード収納部７と後片部３との間、および最前部のカード収納部７と前片部２との間には、紙幣・レシートＲを収納するための上方開放されたポケット状の紙幣・レシート入れ部８がそれぞれ縫着されている。
【００３２】
なお、前片部２および後片部３の左右上部が開放されるスライドチャック１２、小銭入れ部９のストレート状の上部開口側の小銭入れ側雄（雌）チャック１５ａ、小銭入れ側雌（雄）チャック１５ｂがそれぞれによる閉塞乃至開放、複数のポケット状のカード収納部７の布片６の縫合部１０による構成は、上記した図５に示す４０枚カード収納タイプの財布形収納具を構成する収納部本体１によるものと略同じなので、その詳細な説明を省略する。
【００３３】
＜被せ蓋長財布タイプ＞
図７は、被せ蓋長財布タイプの財布形収納具を示すもので、合計８個のカード収納部７のうち、４個が三角形の開口部となり、残りの４個が菱形の開口部となる。
【００３４】
また、後片部３に向けて、複数のコインＣを収納するためのストレート上部開口構造の小銭入れ部９と、紙幣・レシートＲを収納するための上方開放された段付きポケット状の紙幣・レシート入れ部８とが順次縫着されている。前記後片部３には収納部本体１の前記上方開口部４を包覆しうる蓋部５が連設され、当該蓋部５と前記前片部２とは係止手段１１によって閉止されるものとなっている。すなわち、係止手段１１は、前片部２の中央表面に形成されたホック用のバネ１１ｂと、蓋部５の内面に形成されたホック用のゲンコ１１ａとによって構成され、前片部２のバネ１１ｂに蓋部５のゲンコ１１ａを嵌合させることで上方開口部４が閉鎖されるものとしてある。上記小銭入れ部９はその上方開口側が直線状に開放されるものとなっており、その開放は上記と同様に小銭入れ側取っ手１７を介して小銭入れ側スライダ１５を正方向乃至逆方向に摺動させることで、両チャック１５ａ，１５ｂが結合乃離反され、これによって小銭入れ部９の開口部が閉塞乃至開放されるものとしてある。
【００３５】
なお、複数のポケット状のカード収納部７の布片６の縫合部１０による構成は、上記した各タイプの財布形収納具を構成する収納部本体１によるものと略同じなので、その詳細な説明を省略する。
【００３６】
＜被せ蓋二つ折り小銭入れ長財布タイプ＞
図８は、被せ蓋二つ折り小銭入れ長財布タイプの財布形収納具を示している。このタイプの収納部本体１は、前記前片部２、後片部３、蓋部５にかけての幅方向一端側に側方開放されたポケット状の紙幣・レシート入れ部８が設けられて、折り畳まれる蓋部５を合わせた、いわば三つ折りタイプの財布形収納具となしてある。収納部本体１は、合計１１個のカード収納部７のうち、４個が三角形の開口部となり、残りの７個が菱形の開口部となる。すなわち、小銭入れ部９と後片部３との間に、複数の布片６が前後幅方向に重ねて配置されかつこれら小銭入れ部９、複数の布片６、後片部３の交互の縫い合わせによる縦方向の縫合部１０によって合計１１個のポケット状のカード収納部７が区画形成されている。
【００３７】
これらのカード収納部７を閉じ状態で固定するために前記後片部３の内側中央上部に帯状の舌片部２０が突設され、該舌片部２０の先端に付設されたホック用のゲンコ等の係止部１９ａを、前記前片部２側の小銭入れ部９の上部中央の内面に形成したホック用のバネ等の被係止部１９ｂに係止固定させる係止手段１９を設けている。また、前片部２の中央表面に形成されたホック用のバネ１１ｂと、蓋部５の内面に形成されたホック用のゲンコ１１ａとによって係止手段１１が構成されており、前片部２のバネ１１ｂに蓋部５のゲンコ１１ａを嵌合させることで収納部本体１は蓋部５と共に、いわば三つ折り状に折り畳み固定されるものとしてある。
【００３８】
なお、複数のポケット状のカード収納部７の布片６の縫合部１０による構成は、上記した各タイプの財布形収納具を構成する収納部本体１によるものと略同じなので、その詳細な説明を省略する。
【００３９】
＜ラウンドファスナー中ボックス小銭入れ型長財布タイプ＞
図９に示すように、この考案の財布形収納具を構成するラウンドファスナー中ボックス小銭入れ型長財布タイプの収納部本体１は、前記後片部３と、紙幣・レシートＲを収納するための上方開放されたポケット状の紙幣・レシート入れ部８との間に、コインＣを収納するためのボックス型構造の小銭入れ部９が縫着されている。すなわち、この小銭入れ部９は、紙幣・レシート入れ部８の後側壁面に対して折り畳まれた状態で接する後面部９ａと、互いに内方に折り込まれる左右側面部９ｂとを備え、後片部３と前片部２とが互いに開いた状態で後面部９ａと左右側面部９ｂとが起立してボックス状の収納空間が形成されるようにしてある。
【００４０】
複数のカード収納部７は、紙幣・レシート入れ部８の前側壁面と前記前片部２との間に跨って形成されている。すなわち、横幅Ｌの紙幣・レシート入れ部８の前側壁面と前片部２との間に例えば第１〜第４の合計４個の横幅Ｌの布片６が底部１８側から立設され、当該前側壁面と前片部２との間で前後幅方向に重ねて配置され、上記した図３で示したものと同様に形成された縫合部１０を介して複数のカード収納部７が蛇腹状となって開放され、菱形あるいは三角形をなすセル状の開口部を現出させるものとしてある。
【００４１】
なお、前片部２および後片部３の左右上部が開放されるスライドチャック１２による閉塞乃至開放、複数のポケット状のカード収納部７の布片６の縫合部１０による構成は、上記した各タイプの財布形収納具を構成する収納部本体１によるものと略同じなので、その詳細な説明を省略する。
【００４２】
＜大マチ小銭入れ被せ蓋長財布タイプ＞
図１０は大マチ小銭入れ被せ蓋長財布タイプの財布形収納具を示すもので、収納部本体１は後片部３の内面側に、コインＣを収納するためのボックス型構造の小銭入れ部９が縫着されている。すなわち、この小銭入れ部９は、後片部３に連設された蓋部５の裏面に付設されている後面部９ａと、紙幣・レシートＲを収納するための上方開放された段付きポケット状の紙幣・レシート入れ部８の後側壁面に対して折り畳まれた状態で接するよう互いに内方に折り込まれる左右側面部９ｂとを備え、後片部３と前片部２とが互いに開いた状態で蓋部５の裏面の後面部９ａと後片部３の内面側の左右側面部９ｂとが起立してボックス状の収納空間が形成されるようにしてある。
【００４３】
前記蓋部５は前片部２の先端側に折り込まれてから、当該蓋部５と前記前片部２とは係止手段１１によって閉止されるものとなっている。すなわち、係止手段１１は、前片部２の中央表面に形成されたホック用のバネ１１ｂと、蓋部５の内面に形成されたホック用のゲンコ１１ａとによって構成され、前片部２のバネ１１ｂに蓋部５のゲンコ１１ａを嵌合させることで収納部本体１が二つ折り状態に閉鎖固定されるものとしてある。また、紙幣・レシート入れ部８と複数のポケット状のカード収納部７との間にはスリット状のレシートポケット２２が設けられている。
【００４４】
なお、複数のポケット状のカード収納部７の布片６の縫合部１０による構成は、上記した各タイプの財布形収納具を構成する収納部本体１によるものと略同じなので、その詳細な説明を省略する。
【００４５】
＜コンパクトラウンドファスナー長財布タイプ＞
図１１には、コンパクトラウンドファスナー長財布タイプで、小銭入れの両サイドに上記した構成によるカード収納部７を有する財布形収納具が示されている。このタイプの収納部本体１は、複数の布片６のうち略中間に位置する布片６相互間に、コインＣを収納するためのボックス型構造の小銭入れ部９が縫着されてなる。すなわち、横幅Ｌの前片部２と後片部３との間に例えば第１〜第４の合計４個の横幅Ｌの布片６が底部１８側から立設され、当該前片部２と後片部３との間で前後幅方向に重ねて配置され、上記した図３で示したものと同様に形成された縫合部１０を介して複数のカード収納部７が蛇腹状となって開放され、菱形あるいは三角形をなすセル状の開口部を現出させるものとしてある。
【００４６】
また、第２の布片６には小銭入れ部９を構成する前後一対の側片部９ｃ，９ｄのうちの後側の側片部９ｄが縫着され、第３の布片６には、小銭入れ部９を構成する前後一対の側片部９ｃ，９ｄのうちの前側の側片部９ｃが縫着されており、収納部本体１をその厚さ方向に略Ｖ字状に開くと、それまで潰れて閉じていた前後一対の側片部９ｃ，９ｄが、その幅方向に引張られて開放すると同時に、複数のカード収納部７の各上部開口側も、前記側片部９ｃ，９ｄの開放に追従してその幅方向に引張られて、菱形あるいは三角形をなすセル状の開口部となるように蛇腹状となって開くものとしてある。
【００４７】
＜ボックス小銭入れ付被せ蓋二つ折り財布タイプ＞
図１２には、ボックス小銭入れ付被せ蓋二つ折り財布タイプのカード収納部７を有する縦長の財布形収納具が示されている。このタイプの収納部本体１は、前片部２の前側に係止手段２５によって閉鎖可能なボックス型の小銭入れ部９が縫着されている。この小銭入れ部９は、互いに内方に折り畳まれる前後一対の蓋片部２３ａ，２３ｂと、互いに内方に折り込まれる襞状の左右側面部２４ａ，２４ｂとを備え、蓋片部２３ａ，２３ｂが互いに開いた状態で左右側面部２４ａ，２４ｂが起立してボックス状の収納空間が形成されるようにしてある。
【００４８】
係止手段２５は、前方の蓋片部２３ａの内面中央に形成されたホック用のゲンコ２５ａと、後方の蓋片部２３ｂの外面中央に形成されたホック用のバネ２５ｂとによって構成され、バネ２５ｂにゲンコ２５ａを嵌合させることで小銭入れ部９が二つ折り状態に閉鎖固定されるものとしてある。前方の蓋片部２３ａの中央表面に形成されたホック用のバネ１１ｂと、蓋部５の内面に形成されたホック用のゲンコ１１ａとによって係止手段１１が構成され、前方の蓋片部２３ａのバネ１１ｂに蓋部５のゲンコ１１ａを嵌合させることで収納部本体１は折り畳まれる蓋部５を含め全体として、いわば三つ折り状に折り畳み固定されるものとしてある。
【００４９】
また、前片部２と後片部３との間で布片６が前後幅方向に重ねて配置され、上記した図３で示したものと同様に形成された縫合部１０を介して複数のカード収納部７が設けられ、さらにカード収納部７の後面側と後片部３との間には、カードＫの複数枚を纏めて収納できる上部開放されたポケット状の纏めカード入れ部２１とが縫着されている。これによって、収納部本体１には所定合計数のカードＫが収納可能となっている。
【００５０】
収納部本体１は、後片部３から蓋部５にかけての幅方向一端側に側方開放されたポケット状の紙幣・レシート入れ部８が設けられている。
【００５１】
なお、複数のポケット状のカード収納部７の布片６の縫合部１０による構成は、上記した各タイプの財布形収納具を構成する収納部本体１によるものと略同じなので、その詳細な説明を省略する。
【００５２】
＜Ｌ字形ファスナー大容量カードケースタイプ＞
図１３には、Ｌ字形ファスナー大容量カードケースタイプの財布形収納具が示されている。このタイプの収納部本体１は、横幅Ｌの前片部２と後片部３との間に例えば第１〜第９の合計９個の横幅Ｌの布片６が底部１８側から立設され、当該前片部２と後片部３との間で前後幅方向に重ねて配置され、上記した図３で示したものと同様に形成された縫合部１０を介して、合計１５個の大容量型のカード収納部７の形成を可能にしている。
【００５３】
また、前片部２とカード収納部７との間、および後片部３とカード収納部７との間には、紙幣・レシートＲを収納するための上方開放されたポケット状の紙幣・レシート入れ部８が設けられている。収納部本体１は、前片部２および後片部３の左右上部が開放される縁部のうちＬ字状に沿った縁部のみに雄雌チャック１２ａ，１２ｂによるスライドチャック１２が付設され、両チャック１２ａ，１２ｂに跨って、収納部本体側取っ手１４を有する収納部本体側スライダ１３が装着されている。
【００５４】
＜被せ蓋付大容量カードケータイプ＞
図１４は、被せ蓋付大容量カードケータイプによる財布形収納具が示されている。このタイプの収納部本体１は、前片部２と後片部３との二つ折り構成となっており、横幅Ｌの前片部２と後片部３との間に例えば第１〜第１０の合計１０個の横幅Ｌの布片６が底部１８側から立設され、当該前片部２と後片部３との間で前後幅方向に重ねて配置され、上記した図３で示したものと同様に形成された縫合部１０を介して、合計１７個の大容量型のカード収納部７の形成を可能にしている。
【００５５】
また、後片部３には蓋部５が連設され、この蓋部５が前記前片部２の外面に折り返されてマグネットホック式の係止手段２６によって閉鎖されるものとしてある。すなわち、この係止手段２６としては、蓋部５の端部中央に突設した舌片部５ａと、該舌片部５ａの内側に付設したマグネットホック用の磁性ゲンコ２６ａと、前片部２の外面中央に付設したマグネットホック用の磁性バネ２６ｂとからなり、舌片部５ａの磁性ゲンコ２６ａを、前片部２の磁性バネ２６ｂに磁着係合させることで前片部２と後片部３との閉鎖状態が維持されるものとしてある。
【００５６】
次に、上記した各構成による使用の一例について説明すると、雄雌チャック１２ａ，１２ｂ、ホック用のバネ１１ｂ・ゲンコ１１ａ、係止部１９ａ・被係止部１９ｂ、マグネットホック用の磁性バネ２６ｂ・磁性ゲンコ２６ａ等とによって構成されたスライドチャック１２・係止手段１１，１９，２６による閉鎖を解除し、収納部本体１の上方開口部４等を開くと、前片部２と後片部３とが幅方向に引張られてカード収納部７が蛇腹状となって開放され、菱形あるいは三角形をなすセル状の開口部となる。
【００５７】
また、ポケット状の紙幣・レシート入れ部８またはボックス型構造の小銭入れ部９は、収納部本体１の上方開口部４を開いた際に上記カード収納部７と同時に幅方向に引張られて開放される。
【００５８】
さらに、複数の布片６のうち略中間に位置する布片６相互間において縫着されたボックス型構造の小銭入れ部９は、収納部本体１の上方開口部４を開いた際に開放されると同時に、前記カード収納部７は、中間の小銭入れ部９を介して互いに外向き幅方向に引張られて蛇腹状となって開放され、菱形あるいは三角形をなすセル状の開口部となる。
【００５９】
このように菱形あるいは三角形をなすセル状の開口部を通して、カード収納部７に対してのカードＫの出し入れを容易に行うことができると同時に取り出したい所望のカードＫを容易に見つけることができるものとなる。
【００６０】
また、一々例示はしないが、この考案は、その趣旨を逸脱しない範囲内において、種々の変更が加えられて実施されるものとしたり、以上既に述べた以外にも、上記した各実施形態や各変形例による手法を適宜組み合わせて利用してもよい。
【産業上の利用可能性】
【００６１】
なお、この考案のカード収納部７を備えた収納部本体１として長財布・小銭入れ・カードケースを例にして説明したが、これ以外に、例えば文書や証書等を収納しておくための所謂ドキュメンテーションファイルと称せられる書類収納具に応用することも可能である。
【符号の説明】
【００６２】
Ｒ…紙幣・レシート                    Ｋ…カード
Ｃ…コイン                            Ｌ…横幅
１…収納部本体                        ２…前片部
３…後片部                            ４…上方開口部
５…蓋部                              ５ａ…舌片部
６…布片                              ７…カード収納部
８…紙幣・レシート入れ部              ９…小銭入れ部
９ａ…後面部                          ９ｂ…左右側面部
９ｃ…前側片部                        ９ｄ…後側片部
１０…縫合部                          １１…係止手段
１１ａ…ゲンコ                        １１ｂ…バネ
１２…スライドチャック                １２ａ，１２ｂ…雄雌チャック
１３…収納部本体側スライダ            １４…収納部本体側取っ手
１５ａ，１５ｂ…雄雌チャック          １６…小銭入れ側スライダ
１７…小銭入れ側取っ手                １８…底部
１９…係止手段                        １９ａ…係止部
１９ｂ…被係止部                      ２０…舌片部
２１…纏めカード入れ部                ２２…レシートポケット
２３ａ，２３ｂ…蓋片部                ２４ａ，２４ｂ…左右側面部
２５…係止手段                        ２５ａ…ゲンコ
２５ｂ…バネ                          ２６…係止手段
２６ａ…磁性ゲンコ                    ２６ｂ…磁性バネ
【図１】
0003205124.tif 000003
【図２】
0003205124.tif 000004
【図３】
0003205124.tif 000005
【図４】
0003205124.tif 000006
【図５】
0003205124.tif 000007
【図６】
0003205124.tif 000008
【図７】
0003205124.tif 000009
【図８】
0003205124.tif 000010
【図９】
0003205124.tif 000011
【図１０】
0003205124.tif 000012
【図１１】
0003205124.tif 000013
【図１２】
0003205124.tif 000014
【図１３】
0003205124.tif 000015
【図１４】
0003205124.tif 000016